(57)【要約】【課題】撮影機器の映像表示部を見やすくすることができ、また、撮影機器の付属品等を収納可能とすることができる撮影機器用カバーを提供する。【解決手段】カバー５０は、液晶モニタ等の映像表示部を有する電子カメラ１０に装着される。カバー５０の遮光部５１は、少なくとも、液晶モニタ等の映像表示部を覆い、映像表示部を傷等から保護することができる位置に配置される。例えば、撮影した画像等を映像表示部に表示させて確認する場合、ユーザ等は、遮光部５１を点線を軸として回動させるように持ち上げる。これにより、遮光部５１が外光の一部を遮って影を作り、映像表示部に表示された画像を見やすくすることができる。また、カバー５０は、予備のバッテリ等の撮影機器の付属品等を収納するための小物入れ５３ａ等を有する。【選択図】　図２
2004120103.tif 000002
【特許請求の範囲】
【請求項１】
映像表示部を有する撮影機器を収納保持するカバー本体と、
前記映像表示部を覆う第１の位置と、前記映像表示部を外部より視認可能とし、かつ、前記映像表示部へ差し込む外光の少なくとも一部を遮光する第２の位置とに切り替えて配置可能に構成された遮光部と、
を備えることを特徴とする撮影機器用カバー。
【請求項２】
前記遮光部は、前記カバー本体に折曲部を介して開閉可能に支持され、閉じた位置にて前記映像表示部を覆い、開いた位置にて、前記映像表示部へ差し込む外光の少なくとも一部を遮光する、
ことを特徴とする請求項１に記載の撮影機器用カバー。
【請求項３】
前記遮光部は、折曲部が補強され、開いた位置にて保持されるように形成されている、
ことを特徴とする請求項２に記載の撮影機器用カバー。
【請求項４】
前記遮光部は、閉じた位置を維持するための係止部が設けられている、
ことを特徴とする請求項２又は３に記載の撮影機器用カバー。
【請求項５】
前記カバー本体には、収納部が少なくとも１つ設けられている、
ことを特徴とする請求項１乃至４の何れか１項に記載の撮影機器用カバー。
【発明の詳細な説明】
【０００１】
【発明の属する技術分野】
本発明は、撮影機器用カバーに係り、特に、液晶モニタ等の映像表示部を有する撮影機器に装着される撮影機器用カバーに関する。
【０００２】
【従来の技術】
近年、デジタルカメラに代表される撮影機器が普及している。このような撮影機器の多くには、液晶モニタ等の映像表示部が設けられている。この液晶モニタ等の映像表示部は、ユーザが撮影機器を使用して撮影した画像等を表示するためのものである。
また、このような撮影機器は、撮影データの記憶媒体（例えば、メモリカード等）、予備のバッテリ等を必要とする場合がある。そして、このような撮影機器を傷、衝撃等から保護するために、撮影機器を収納するカバーやケースを利用するユーザも多い。
【０００３】
【発明が解決しようとする課題】
上記の液晶モニタ等の映像表示部が設けられた撮影機器においては、映像表示部に外光が当たると、表示された画像が見えにくくなってしまうという問題がある。さらに、液晶モニタ等の映像表示部の表面は、例えば、ガラス等から構成されており、傷がつきやすいという問題がある。このような問題は、屋外で使用されるデジタルカメラやデジタルビデオカメラにおいて顕著である。
また、このような撮影機器を携行して利用する場合、撮影データの記憶媒体、予備のバッテリ等を、別途、携行しているユーザが多い。
【０００４】
本発明は、上記実情に鑑みてなされたもので、撮影機器の映像表示部を見やすくすることを第１の目的とする。
また、撮影機器の付属品等を収納可能とすることを第２の目的とする。
【０００５】
【課題を解決するための手段】
上記目的を達成するため、本発明の撮影機器用カバーは、映像表示部を有する撮影機器を収納保持するカバー本体と、前記映像表示部を覆う第１の位置と、前記映像表示部を外部より視認可能とし、かつ、前記映像表示部へ差し込む外光の少なくとも一部を遮光する第２の位置とに切り替えて配置可能に構成された遮光部と、を備える。
【０００６】
このような構成によれば、通常時には遮光部により映像表示部を保護し、一方、ユーザが映像表示部を見る際には、外光を遮光して表示を見やすくすることができる。
【０００７】
前記遮光部は、例えば、前記カバー本体に折曲部を介して開閉可能に支持され、閉じた位置にて前記映像表示部を覆い、開いた位置にて、前記映像表示部へ差し込む外光の少なくとも一部を遮光する。
【０００８】
また、前記遮光部は、例えば、折曲部が補強部材等で補強され、開いた位置にて保持（維持）されるように形成されている。また、前記遮光部は、閉じた位置を維持するための係止部をそなえていてもよい。
また、カバー本体は、収納部を少なくとも１つ備えることが望ましい。
【０００９】
【発明の実施の形態】
以下、本発明に係る実施の形態を、電子カメラに着脱可能に装着されるカバーを例に、図面を参照して説明する。
【００１０】
まず、本発明の実施の形態に係るカバーに適用される電子カメラ１０について簡単に説明する。
【００１１】
図１は、本発明が適用される電子カメラ１０の一例を示す背面斜視図である。図示するように、この電子カメラ１０は、液晶モニタ１１と、ファインダ１２と、シャッタボタン１３と、電源スイッチ１４と、十字キー１５と、を備える。
【００１２】
液晶モニタ１１は、例えば、低温ポリシリコンＴＦＴ（Ｔｈｉｎ　Ｆｉｌｍ　Ｔｒａｎｓｉｓｔｏｒ）液晶モニタであり、電子カメラ１０を使用して撮影した画像や、記憶媒体から読み出された再生画像等を表示する。
【００１３】
ファインダ１２は、例えば、電子カメラ１０を使用して撮影する際に、撮影範囲を確認したり、ピントを合わせたりするために使用される。
【００１４】
シャッタボタン１３は、電子カメラ１０を使用して撮影する際に押下されるボタンである。
【００１５】
電源スイッチ１４は、電子カメラ１０の電源のＯＮ／ＯＦＦを切り替える操作をするためのスイッチである。
【００１６】
十字キー１５は、例えば、ユーザにより、電子カメラ１０の各種設定、選択等をする際に操作されるキーである。
【００１７】
次に、上述した電子カメラ１０に着脱可能に装着されるカバーの構成について説明する。
【００１８】
図２及び図３は、本実施の形態に係るカバー５０が図１の電子カメラ１０に装着された様子を示す図である。なお、図２は、背面側斜視図であり、図３は、底面斜視図である。
カバー５０は、皮革、デニム等の折り曲げることのできる素材から構成され、撮影等の操作に必要な部分（例えば、シャッタ１３や十字キー１５）を除いて、電子カメラ１０全体を覆い、特に、液晶モニタ１１を保護する。カバー５０は、図示するように、遮光部５１と、カバー接合部５２と、小物入れ５３ａと、小物入れ５３ｂと、接合部５４と、を備える。
【００１９】
遮光部５１は、カバー５０（電子カメラ１０）の背面側に略矩形形状に形成され、液晶モニタ１１やファインダ１２を覆うように配置され、図２に点線で示す折曲部にてカバー５０と連結（支持）されており、その先端に接合部５４を有する。遮光部５１は、樹脂を含浸させる等の手法により、弾力性と剛性を与えられており、図４に示すように、折曲部を軸にして開閉自在（回動自在）に構成されている。また、折曲部は、樹脂により補強されている。遮光部５１は、閉じた状態で、液晶モニタ１１、ファインダ１２等を覆って傷等から保護し、遮光部５１は、一旦開かれるとその状態を維持して、液晶モニタ１１やファインダ１２に上方から直接入射する光を遮光して、表示された画像を見やすくする。
【００２０】
カバー接合部５２は、電子カメラ１０の挿抜口となる開口部であり、図４に例示するように、カバー接合部５２ａとカバー接合部５２ｂとが、例えば、取り付け・取り外しが簡易な面ファスナ等で係止されるように構成されている。
【００２１】
小物入れ５３ａ、５３ｂは、例えば、予備のバッテリや、メモリカードのような電子カメラ１０に適合した記憶媒体等を収納するために設けられている。なお、小物入れ５３ａ、５３ｂの収納物を出し入れする開口部の形状は任意であり、例えば、開口部を覆うような蓋を設け、取り付け・取り外しが簡易な面ファスナ等で蓋が係止されるような構成でもよい。
【００２２】
接合部５４は、図３に例示するように、遮光部５１とカバー５０の底部とを係止するためのものであり、接合部５４とカバー５０の対向部分には、取り付け・取り外しが簡易な面ファスナが配置されている。
【００２３】
カバー５０は、例えば、電子カメラ１０を持ち運ぶ際に、図２及び図３に例示するように電子カメラ１０に装着される。また、カバー５０の小物入れ５３ａ、５３ｂには、予備のバッテリ、メモリカード等の記憶媒体などが収納され、適宜使用される。
一方、ユーザが、撮影対象画像を撮影した画像を確認する際に、接合部５４にて係止された遮光部５１が取り外されて使用される。また、カバー５０の小物入れ５３ａ、５３ｂには、予備のバッテリ、メモリカード等の記憶媒体などが収納される。
【００２４】
カバー５０が装着された電子カメラ１０において、ユーザが撮像のためにファインダ１２を確認したり、撮影した画像を液晶モニタ１１に表示させて確認する場合、接合部５４をカバー５０から取り外し、遮光部５１を、図５に例示するような開位置にまで持ち上げる。つまり、遮光部５１を、折曲部（図２に示す点線）を軸として回動して、ユーザにとって画像が見やすく且つ上方等から液晶モニタ１１やファインダ１２に入射する外光を遮光する位置まで移動する。
これにより、遮光部５１は、図５に例示するように、外光の一部を遮って影を作り、液晶モニタ１１に表示された画像を見やすくする状態を維持する。
【００２５】
そして、撮影した画像を確認した後、ユーザ等は、持ち上げた遮光部５１を元に戻して、接合部５４とカバー５０（底面）とを接合させることにより、カバー５０と遮光部５１とを係止する。つまり、遮光部５１は、折曲部を軸として逆に回動して、所定の閉位置まで移動し、液晶モニタ１１等が傷等から保護されるようにカバー５０に係止される。
【００２６】
この発明は上記実施の形態に限定されず、種々の変形及び応用が可能である。例えば、上記の実施の形態においては、この発明が適用される機器として電子カメラを例として説明したが、この発明が適用される機器は任意であり、例えば、液晶モニタを有するビデオカメラ等の撮影機器でもよい。
【００２７】
上記実施の形態においては、小物入れ５３ａ、５３ｂは、底面等の位置に設けたが、電子カメラ１０での撮影、操作等に支障のない位置であれば、小物入れを設ける位置、数等は任意である。例えば、電子カメラ１０の側面に、小物入れを設けてもよい。また、設けられた小物入れに収納される収納物は、予備バッテリ等に限らず、任意である。
【００２８】
上記実施の形態においては、図１に例示するような電子カメラ１０に装着されるカバー５０について説明した。しかしながら、カバー５０は、カバー５０が装着される電子カメラ１０の形態によって、種々の形状を取り得る。例えば、遮光部５１の配置される位置は、液晶モニタ等を覆って保護し、外光を適切に遮ることができる位置であれば、任意である。
【００２９】
上記実施の形態においては、カバー接合部５２、及び、接合部５４は、面ファスナで接合されるが、これらの接合方法は任意である。例えば、遮光部５１と接合部５４とに適合し、簡易に取り付け・取り外し可能な接合方法であればよい。
【００３０】
上記の実施の形態においては、カバー５０は、例えば、皮革、デニム等の折り曲げることのできる素材から構成されているが、カバー５０の素材は、任意である。例えば、合成樹脂等の折り曲げることのできない素材でもよい。この場合も、遮光部５１を図２に示す点線を軸に回動し、図４、図５に例示するように持ち上げることができるように、カバー５０本体と遮光部５１とがつなぎ合わされた構造となっていればよい。
【００３１】
なお、遮光部５１は、カバー５０に係止された状態から解放されると、所定の開位置まで自動的に移動し、その位置にて自力で保持されるようにしてもよい。また、カバー５０と遮光部５１とが接続されている部分（図２に点線にて示す折曲部）に、例えば、切り込み等を設けることにより、開位置に移動した遮光部５１を保持されるようにしてもよい。更に、遮光部５１は、カバー５０から取り外し自在となるように接合されていてもよい。
【００３２】
【発明の効果】
以上説明したように、本発明によれば、撮影機器の映像表示部を見やすくすることができ、また、撮影機器の付属品等を収納可能とすることができる。
【図面の簡単な説明】
【図１】本発明が適用される電子カメラの一例を示す背面斜視図である。
【図２】本発明の実施の形態に係るカバーが、図１の電子カメラに装着された様子を示す背面斜視図である。
【図３】本発明の実施の形態に係るカバーが、図１の電子カメラに装着された様子を示す底面斜視図である。
【図４】本発明の実施の形態に係るカバーの構造の一例を示す背面斜視図である。
【図５】本発明の実施の形態に係るカバーの遮光部が、開位置に移動された様子を示す側面図である。
【符号の説明】
１０　　電子カメラ
１１　　液晶モニタ
１２　　ファインダ
１３　　シャッタボタン
１４　　電源スイッチ
１５　　十字キー
５０　　カバー
５１　　遮光部
５２　　カバー接合部
５３ａ　小物入れ
５３ｂ　小物入れ
５４　　接合部
【図１】
2004120103.tif 000003
【図２】
2004120103.tif 000004
【図３】
2004120103.tif 000005
【図４】
2004120103.tif 000006
【図５】
2004120103.tif 000007